(57)【要約】【課題】  室内の美観を損なう恐れをより低減することができる空気調和機の室内機を提供する。【解決手段】  空気調和機の室内機２ａは、ケーシング本体２３と正面パネル２４ａとを備える。ケーシング本体２３は、室内へと吹き出される空気が通る吹出し口２６と、室内から取り込まれる空気が通る第１吸込み口２７とを有する。正面パネル２４ａは、第１パネル２４１と第２パネル２４２とを有する。第１パネル２４１は、吹出し口２６を開閉し、吹出し口２６を閉じた状態において正面視において吹出し口２６よりも大きな投影面積を有する。第２パネル２４２は、第１吸込み口２７を開閉し、第１吸込み口２７を閉じた状態において正面視において第１吸込み口２７よりも大きな投影面積を有する。そして、第１パネル２４１の端部と第２パネル２４２の端部とは、接続部分２４７を中心に回転可能に接続されている。【選択図】      図３
2005098686.tif 000002
【特許請求の範囲】
【請求項１】
室内へと吹き出される空気が通る吹出し口（２６）と室内から取り込まれる空気が通る吸込み口（２７）とを有するケーシング（２３）と、
前記吹出し口（２６）を開閉し前記吹出し口（２６）を閉じた状態において正面視において前記吹出し口（２６）よりも大きな投影面積を有する第１パネル（２４１）と、前記吸込み口（２７）を開閉し前記吸込み口（２７）を閉じた状態において正面視において前記吸込み口（２７）よりも大きな投影面積を有する第２パネル（２４２）とを有する正面パネル（２４ａ）と、
を備え、
前記第１パネル（２４１）の端部と前記第２パネル（２４２）の端部とは接続部分（２４７）を中心に回転可能に接続されている、
空気調和機の室内機（２ａ）。
【請求項２】
前記接続部分（２４７）で折れ曲がった形状の前記正面パネル（２４ａ）が上方に移動することによって、前記吹出し口（２６）と前記吸込み口（２７）とが開かれる、
請求項１に記載の空気調和機の室内機（２ａ）。
【請求項３】
上端が前記ケーシング（２３）へ近接するように前記接続部分（２４７）で折れ曲がった状態の前記正面パネル（２４ａ）が上方に移動して前記吹出し口（２６）と前記吸込み口（２７）とを開く、
請求項２に記載の空気調和機の室内機（２ａ）。
【請求項４】
前記第１パネル（２４１）が上方へ移動すると共に、その上端が前記ケーシング（２３）から離反するようにその下端を中心に回転移動し、前記第２パネル（２４２）が前方へと移動することによって、前記吹出し口（２６）と前記吸込み口（２７）とが開かれる、
請求項３に記載の空気調和機の室内機（２ａ）。
【請求項５】
上端が前記ケーシング（２３）から離反するように前記接続部分（２４７）で折れ曲がった形状の正面パネル（２４ａ）が上方に移動することによって、前記吹出し口（２６）と前記吸込み口（２７）とが開かれる、
請求項２に記載の空気調和機の室内機（２ａ）。
【請求項６】
前記第１パネル（２４１）が上方へ移動すると共に、その上端が前記ケーシング（２３）から離反するようにその下端を中心に回転移動し、前記第２パネル（２４２）がその上端が前記ケーシング（２３）から離反するようにその下端を中心に回転移動することによって、前記吹出し口（２６）と前記吸込み口（２７）とが開かれる、
請求項５に記載の空気調和機の室内機（２ａ）。
【請求項７】
前記第１パネル（２４１）は、継目を有さず、正面視において前記吹出し口（２６）を含む前記ケーシング（２３）の幅（Ｗ）と略同じ幅を有し、
前記第２パネル（２４２）は、継目を有さず、正面視において前記吸込み口（２７）を含む前記ケーシング（２３）の幅（Ｗ）と略同じ幅を有する、
請求項１から６のいずれかに記載の空気調和機の室内機（２ａ）。
【請求項８】
前記正面パネル（２４ａ）は、正面視において前記ケーシング（２３）の正面の略全体を覆う、
請求項１から７のいずれかに記載の空気調和機の室内機（２ａ）。
【請求項９】
前記正面パネル（２４ａ）の正面側は、前記吹出し口（２６）を閉じた状態において、鉛直方向に平行な平坦面（２４３）となっている、
請求項１から８のいずれかに記載の空気調和機の室内機（２ａ）。
【請求項１０】
前記第１パネル（２４１）は、前記吹出し口（２６）を開く際に、前記ケーシング（２３）に近接した状態で移動する、
請求項１から９のいずれかに記載の空気調和機の室内機（２ａ）。
【発明の詳細な説明】
【技術分野】
【０００１】
本発明は空気調和機の室内機に関する。
【背景技術】
【０００２】
近年、室内の空気調和を行う空気調和機の室内機がよく利用されている。この室内機は、室内に配置されるため、居住者等の視野に入ることが多い。このため、室内機が室内の美観を損なわないことが重要である。しかし、室内機のケーシングには室内へと吹き出す空気が通る吹出し口が設けられることが通常である。室内機は、吹出し口から調和空気を室内へ吹出すことにより室内の空気調和を行う。この吹出し口は、室内機のケーシングの正面に設けられることが多く、室内の居住者等の目に触れ易い。従って、室内機の外観と室内の壁面等との調和が妨げられ、室内の美観が損なわれる恐れがある。
【０００３】
一方、上記のような従来の空気調和機の室内機では、吹出し口を開閉する水平フラップが設けられことが多い（特許文献１参照）。この水平フラップは、室内機の運転時には吹出し口を開いて、吹出し口から吹出される空気を案内する。そして、室内機の運転停止時には、水平フラップが吹出し口を閉じる。これにより、室内機の運転停止時に吹出し口が居住者等の視野に入ることが防止され、室内の美観を損なう恐れが低減する。
【特許文献１】特許第３３３４６８８号明細書
【発明の開示】
【発明が解決しようとする課題】
【０００４】
しかし、上記のような空気調和機の室内機では、依然として室内の美観が損なわれる恐れがある。すなわち、図５に示す室内機２００のように、水平フラップ２０１によって吹出し口２０２が閉じられる場合においても、正面視において、水平フラップ２０１と吹出し口２０２との間の継目が表れることが多い。また、空気調和機の室内機では、吹出し口だけではなく吸込み口が正面に配置されることがある。この場合、吹出し口と同様に、吸込み口が居住者等の視野に入ると室内の美観を損なう恐れがある。また、吸込み口を開閉するパネルを設けて、空気調和機の運転停止時に吸込み口を閉じることが従来より行われているが、吸込み口とパネルとの継目が正面視において表れて、室内の美観を損なう恐れがある。
【０００５】
このような室内機では、室内の美観が損なわれる恐れがある。
本発明の課題は、室内の美観を損なう恐れをより低減することができる空気調和機の室内機を提供することにある。
【課題を解決するための手段】
【０００６】
第１発明にかかる空気調和機の室内機は、ケーシングと正面パネルとを備える。ケーシングは、室内へと吹き出される空気が通る吹出し口と、室内から取り込まれる空気が通る吸込み口とを有する。正面パネルは、第１パネルと第２パネルとを有する。第１パネルは、吹出し口を開閉し、吹出し口を閉じた状態において正面視において吹出し口よりも大きな投影面積を有する。第２パネルは、吸込み口を開閉し、吸込み口を閉じた状態において正面視において吸込み口よりも大きな投影面積を有する。そして、第１パネルの端部と第２パネルの端部とは、接続部分を中心に回転可能に接続されている。
【０００７】
この空気調和機の室内機では、第１パネルは、吹出し口を閉じた状態において正面視において吹出し口よりも大きな投影面積を有する。このため、第１パネルは、正面視において、吹出し口を隠すことができる。また、第２パネルは、吸込み口を閉じた状態において正面視において吸込み口よりも大きな投影面積を有する。このため、第２パネルは、正面視において、吸込み口を隠すことができる。このように、この空気調和機の室内機では、吸込み口や吹出し口によって室内の美観が損なわれる恐れを低減することができる。
【０００８】
また、運転開始時には第１パネルと第２パネルとが上記のように移動することによって、吸込み口および吹出し口が開かれる。これにより、空気の吸込みや吹出しの風量を十分に確保することができる。
第２発明にかかる空気調和機の室内機は、第１発明の空気調和機の室内機であって、接続部分で折れ曲がった形状の正面パネルが上方に移動することによって、吹出し口と吸込み口とが開かれる。
【０００９】
この空気調和機の室内機では、運転開始時には第１パネルと第２パネルとが上記のように移動することによって、吸込み口および吹出し口が開かれる。これにより、空気の吸込みや吹出しの風量を十分に確保することができる。
第３発明にかかる空気調和機の室内機は、第２発明の空気調和機の室内機であって、上端がケーシングへ近接するように接続部分で折れ曲がった状態の正面パネルが上方に移動することによって、吹出し口と吸込み口とが開かれる。
【００１０】
この空気調和機の室内機では、運転開始時には第１パネルと第２パネルとが上記のように移動することによって、吸込み口および吹出し口が開かれる。これにより、空気の吸込みや吹出しの風量を十分に確保することができる。
第４発明にかかる空気調和機の室内機は、第３発明の空気調和機の室内機であって、第１パネルが上方へ移動すると共に、その上端がケーシングから離反するようにその下端を中心に回転移動し、第２パネルが前方へと移動することによって、吹出し口と吸込み口とが開かれる。
【００１１】
この空気調和機の室内機では、運転開始時には第１パネルと第２パネルとが上記のように移動することによって、吸込み口および吹出し口が開かれる。これにより、空気の吸込みや吹出しの風量を十分に確保することができる。
第５発明にかかる空気調和機の室内機は、第２発明の空気調和機の室内機であって、上端がケーシングから離反するように接続部分で折れ曲がった形状の正面パネルが上方に移動することによって、吹出し口と吸込み口とが開かれる。
【００１２】
この空気調和機の室内機では、運転開始時には第１パネルと第２パネルとが上記のように移動することによって、吸込み口および吹出し口が開かれる。これにより、空気の吸込みや吹出しの風量を十分に確保することができる。
第６発明にかかる空気調和機の室内機は、第５発明の空気調和機の室内機であって、第１パネルが上方へ移動すると共に、その上端がケーシングから離反するようにその下端を中心に回転移動し、第２パネルがその上端がケーシングから離反するようにその下端を中心に回転移動することによって、吹出し口と吸込み口とが開かれる。
【００１３】
この空気調和機の室内機では、運転開始時には第１パネルと第２パネルとが上記のように移動することによって、吸込み口および吹出し口が開かれる。これにより、空気の吸込みや吹出しの風量を十分に確保することができる。
第７発明にかかる空気調和機の室内機は、第１発明から第６発明の空気調和機の室内機であって、第１パネルは、継目を有さず、正面視において吹出し口を含むケーシングの幅と略同じ幅を有する。また、第２パネルは、継目を有さず、正面視において吸込み口を含むケーシングの幅と略同じ幅を有する。
【００１４】
この空気調和機の室内機では、第１パネルと第２パネルとは、ケーシングの幅と略同じ幅を有する。このため、第１パネルと第２パネルとは、ケーシングの幅方向の略全体に亘ってケーシングを覆うことができる。また、第１パネルと第２パネルとはそれぞれ継目を有さない。このため、室内機の正面視に表れる継目を低減することができる。これにより、この空気調和機の室内機では、美観が損なわれる恐れをより低減することができる。
【００１５】
第８発明にかかる空気調和機の室内機は、第１発明から第７発明の空気調和機の室内機であって、正面パネルは、正面視においてケーシングの正面の略全体を覆う。
この空気調和機の室内機では、ケーシングの正面の略全体が正面パネルに覆われる。このため、この空気調和機の室内機では、正面視において室内機に表れる継目がさらに低減する。これにより、この空気調和機の室内機では、美観が損なわれる恐れをさらに低減することができる。
【００１６】
第９発明にかかる空気調和機の室内機は、第１発明から第８発明の空気調和機の室内機であって、正面パネルの正面側は、吹出し口を閉じた状態において、鉛直方向に平行な平坦面となっている。
この空気調和機の室内機では、正面パネルの正面側は、吹出し口を閉じた状態において鉛直方向に平行な平坦面となっている。従って、この空気調和機の室内機では、室内機の正面視における外観と室内の側壁との調和が向上する。これにより、この空気調和機の室内機では、美観をより向上させることができる。
【００１７】
第１０発明にかかる空気調和機の室内機は、第１発明から第９発明の空気調和機の室内機であって、第１パネルは、吹出し口を開く際に、ケーシングに近接した状態で移動する。
この空気調和機の室内機では、第１パネルは、吹出し口を開く際に、ケーシングに近接した状態で移動するため、第１パネルとケーシングとの隙間が小さい。従って、吹出し口から吹き出された空気が第１パネルとケーシングとの間から漏れてしまうショートサーキットの発生を抑えることができる。
【発明の効果】
【００１８】
第１発明にかかる空気調和機の室内機では、吸込み口や吹出し口によって室内の美観が損なわれる恐れを低減することができる。また、空気の吸込みや吹出しの風量を十分に確保することができる。
第２発明にかかる空気調和機の室内機では、空気の吸込みや吹出しの風量を十分に確保することができる。
【００１９】
第３発明にかかる空気調和機の室内機では、空気の吸込みや吹出しの風量を十分に確保することができる。
第４発明にかかる空気調和機の室内機では、空気の吸込みや吹出しの風量を十分に確保することができる。
第５発明にかかる空気調和機の室内機では、空気の吸込みや吹出しの風量を十分に確保することができる。
【００２０】
第６発明にかかる空気調和機の室内機では、空気の吸込みや吹出しの風量を十分に確保することができる。
第７発明にかかる空気調和機の室内機では、室内機の正面視に表れる継目を低減することができるため、美観が損なわれる恐れをより低減することができる。
第８発明にかかる空気調和機の室内機では、正面視において室内機に表れる継目がさらに低減するため、美観が損なわれる恐れをさらに低減することができる。
【００２１】
第９発明にかかる空気調和機の室内機では、正面視における外観と室内の側壁との調和が向上し、美観をより向上させることができる。
第１０発明にかかる空気調和機の室内機では、吹出し口から吹き出された空気が第１パネルとケーシングとの間から漏れてしまうショートサーキットの発生を抑えることができる。
【発明を実施するための最良の形態】
【００２２】
＜第１実施形態＞
〔空気調和機の全体構成〕
本発明の第１実施形態にかかる空気調和機１の構成および冷媒回路の概略を図１に示す。
この空気調和機１は、室内の壁面などに取り付けられる室内機２ａと、室外に設置される室外機３とを備えている。
【００２３】
この空気調和機１の冷媒回路は、主として室内熱交換器２０、アキュムレータ３１、圧縮機３２、四路切換弁３３、室外熱交換器３０および電動膨張弁３４で構成される。
室内機２ａに設けられている室内熱交換器２０は、接触する空気との間で熱交換を行う。また、室内機２ａには、室内空気を吸い込んで室内熱交換器２０に通し熱交換が行われた後の空気を室内に排出するための室内ファン２１が設けられている。室内ファン２１は、室内機２ａ内に設けられる室内ファンモータ２２によって回転駆動される。室内機２ａの詳細な構成については後に説明する。
【００２４】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。また、室外機３には、室外熱交換器３０での熱交換後の空気を外部に排出するための室外ファン３８が設けられている。この室外ファン３８は、室外ファンモータ３９によって回転駆動される。
【００２５】
〔室内機の構成〕
図２（ａ）に室内機２ａの正面図、図２（ｂ）に室内機２ａの側面断面図を示す。図２（ａ）と図２（ｂ）とは、運転停止時の室内機２ａを示している。
室内機２ａは、室内の側壁に設けられる壁掛け型の室内機であり、ケーシング本体２３と正面パネル２４ａとを備える。
【００２６】
［ケーシング本体］
ケーシング本体２３は、正面視において水平方向に長い長方形の形状を有し、側面視において鉛直方向に長い長方形の断面形状を有する。ケーシング本体２３内には、上述した室内熱交換器２０、室内ファン２１、室内ファンモータ２２（図示せず）などが備えられている。図２（ｂ）に示すように、側面視において、室内ファン２１がケーシング本体２３の中央に配置され、逆Ｖ字型の形状を有する室内熱交換器２０が室内ファン２１の上半分を囲むように配置されている。また、ケーシング本体２３には吸込み口２５と吹出し口２６とが設けられている。
【００２７】
吸込み口２５は、室内ファン２１によって室内からケーシング本体２３内へと取り込まれる空気が通る開口であり、第１吸込み口２７と第２吸込み口２８とがある。第１吸込み口２７は、正面視において水平方向に長い形状を有し、その長さはケーシング本体２３の幅Ｗよりも若干小さい。第1吸込み口２７は、図２（ｂ）に示すように、ケーシング本体２３の正面の中央付近に設けられ、室内熱交換器２０の正面側と対向している。第２吸込み口２８は、ケーシング本体２３の長手方向に長い複数のスリットによって構成されており、ケーシング本体２３の天面に設けられている。
【００２８】
吹出し口２６は、室内ファン２１によって室内熱交換器２０を通り室内へと吹出される空気が通る開口である。吹出し口２６は水平方向に長い形状を有し、その長さはケーシング本体２３の幅Ｗよりも若干小さい。また、吹出し口２６はケーシング本体２３の下部近傍であって、ケーシング本体２３の正面に設けられている。
また、吹出し口２６近傍には水平フラップ２９が設けられている。水平フラップ２９は、室内機２ａの長手方向に長い形状を有する板状の部材であり、吹出し口２６から吹き出される空気を案内する。水平フラップ２９は、室内機２ａの長手方向に平行な回転軸を有しており、回転軸を中心に回転することにより、空気の案内方向を変更する。
【００２９】
［正面パネル］
正面パネル２４ａは、正面視において吹出し口２６と第1吸込み口２７とを覆い、吹出し口２６と第1吸込み口２７とを開閉する。正面パネル２４ａは、継目の無い複数のパネルが集合したパネル集合体であり、第１パネル２４１と第２パネル２４２とを有している。
【００３０】
第１パネル２４１は、ケーシング本体２３の正面の下方に配置されている。第１パネル２４１は、図示しない移動機構によって移動可能に支持されており、吹出し口２６を開閉する。第１パネル２４１は、継目を有さない長方形の平板状の部材であり、正面視におけるケーシング本体２３の幅Ｗと略同じ幅と、ケーシング本体２３の高さＨの約半分の高さとを有する。第１パネル２４１は、吹出し口２６を閉じた状態においては、図２（ｂ）のように、鉛直方向に平行な状態となる。また、この状態では、第１パネル２４１は、正面視において吹出し口２６よりも大きな投影面積を有する。従って、第１パネル２４１は、吹出し口２６を閉じた状態においては、吹出し口２６を含むケーシング本体２３の正面の下半分を完全に覆う。
【００３１】
第２パネル２４２は、ケーシング本体２３の正面の上方に配置されている。第２パネル２４２は、図示しない移動機構によって移動可能に支持されており、第１吸込み口２７を開閉する。第２パネル２４２は、第１パネル２４１と同様に、継目を有さない長方形の平板状の部材であり、正面視において第１吸込み口２７を含むケーシング本体２３の幅Ｗと略同じ幅と、ケーシング本体２３の高さＨの約半分の高さとを有する。また、図３に示すように、第１パネル２４１の上端と第２パネル２４２の下端とは、接続部分２４７を中心に回転可能に接続されている。第２パネル２４２は、第１吸込み口２７を閉じた状態においては、図２（ｂ）のように、鉛直方向に平行な状態となる。また、この状態では、第２パネル２４２は、第１パネル２４１の上方に第１パネル２４１と並んで位置しており、正面視において第１吸込み口２７よりも大きな投影面積を有する。従って、第２パネル２４２は、第１吸込み口２７を閉じた状態においては、第１吸込み口２７を含むケーシング本体２３の正面の上半分を完全に覆う。
【００３２】
このように、第１パネル２４１は、吹出し口２６を閉じた状態においては、吹出し口２６を含むケーシング本体２３の正面の下半分を完全に覆い、第２パネル２４２は、第１吸込み口２７を閉じた状態においては、第１吸込み口２７を含むケーシング本体２３の正面の上半分を完全に覆う。また、第１パネル２４１と第２パネル２４２とは、隙間なく上下に並んで配置される。このため、第１パネル２４１と第２パネル２４２とによって構成される正面パネル２４ａは、吹出し口２６と第１吸込み口２７とを閉じた状態においては、図２（ａ）に示すように、室内機２ａの正面全体を略完全に覆う状態となる。従って、この状態では、正面視においては、正面パネル２４ａのみが居住者等の視野に入り、吹出し口２６および第１吸込み口２７は、居住者等の視野に入らない。また、正面パネル２４ａには、第１パネル２４１の上端と第２パネル２４２の下端とによって形成される水平方向に延びる継目を除いて他の継目が表面に表れない。さらに、第１パネル２４１は鉛直方向に平行となっており、第２パネル２４２も鉛直方向に平行となっている。このため、正面パネル２４ａは、吹出し口２６および第１吸込み口２７を閉じた状態において、鉛直方向に平行な平坦面２４３を形成している。
【００３３】
［室内機の動作］
次に、空気調和機１の室内機２ａが空調運転を行う場合の動作について説明する。
室内機２ａが停止している場合、正面パネル２４ａは上記のように吹出し口２６と第1吸込み口２７とを閉じた状態となっている。
室内機２ａが運転を行う場合、まず、室内ファン２１が低回転で起動される。
【００３４】
次に、正面パネル２４ａが移動し、吹出し口２６と第１吸込み口２７とが開かれる。これにより、室内機２ａへ取り込まれる空気の風量が確保されると共に、水平方向への空気の吹き出しが行われる。この場合、第１パネル２４１は、垂直に上方へと移動すると共に、上端がケーシング本体２３から離反する方向へと下端を中心に回転する。第１パネル２４１が垂直に上方へと移動することにより、吹出し口２６が開かれる。第２パネル２４２は、第１パネル２４１の上端の回転移動に関わらず鉛直方向に平行な姿勢を保持しながら前方へと平行移動する。第２パネル２４２が前方へと平行移動することにより、第１吸込み口２７が開かれる。最終的には、上端がケーシング本体２３へ近接するように中程から折れ曲がった状態の正面パネル２４ａが上方へと移動した状態となり、吹出し口２６と第１吸込み口２７とが開かれる。なお、第１パネル２４１は、ケーシング本体２３の前面に近接した状態で移動する。第１パネル２４１とケーシング本体２３とは、擦れによる傷の発生を防止する観点からは第１パネル２４１の移動中に接触しないことが望ましく、第１パネル２４１とケーシング本体２３との間に約１ｍｍないし２ｍｍの隙間を隔てていることがより望ましい。
【００３５】
正面パネル２４ａが移動して吹出し口２６と第１吸込み口２７とが開かれた後、水平フラップ２９が、設定された運転モードに対応した吹出し角度となるように回転移動する。
以上のように、室内機２ａの運転が行われる、
室内機２ａが運転を停止する場合には、正面パネル２４ａが移動し、図２（ａ）および図２（ｂ）のように、吹出し口２６と第１吸込み口２７とが閉じられた状態に戻る。
【００３６】
〔特徴〕
（１）
この空気調和機１の室内機２ａでは、運転停止時において、正面パネル２４ａが室内機２ａの正面全体を覆う。そして、正面パネル２４ａは、鉛直方向に平行な平坦面２４３を形成する。このため、室内機２ａの運転停止時には、正面視において居住者等の視野には平坦な正面パネル２４ａのみが表れる。また、正面パネル２４ａの表面には、第１パネル２４１と第２パネル２４２との境界である横方向（水平方向）に延びる継目のみが表れ、他の継目は表れない。従って、この室内機２ａでは、正面視において、縦方向（鉛直方向）に延びる継目が表れることがなく、横方向に延びる継目も最低限となっている。このため、この空気調和機１の室内機２ａでは、正面視における室内機２ａの運転停止時の外観と室内の壁面とが調和し、美観が向上する。
【００３７】
（２）
一般に、壁掛け型の室内機は、室内の壁面に配置されるため、正面部分が居住者等の視野に入り易い。また、室内機の正面部分の面積が大きいことが多い。このため、運転停止時に正面視における美観が向上する本発明が特に有効である。
（３）
この空気調和機１の室内機２ａでは、運転時においては第１パネル２４１と第２パネル２４２とが移動することによって、吹出し口２６と第１吸込み口２７とが開かれる。このため、室内機２ａへの空気の吸い込みと、室内機２ａからの空気の吹出しとを十分に行うことができる。
【００３８】
また、吹出し口２６と第１吸込み口２７とが開かれる際には、第１パネル２４１は上下に移動し、第２パネル２４２は前方に少し移動すればよい。このため、運転時において室内機２ａの厚みＤ（図３（ｂ）参照）の増大が少ない。このため、この空気調和機１の室内機２ａでは、運転時の室内機２ａをコンパクトに構成することができる。
（４）
この空気調和機１の室内機２ａでは、正面パネル２４ａが開かれる前に、室内ファン２１が低回転で起動される。この場合、正面パネル２４ａが閉じられた状態で室内ファン２１が回転するため、室内機２ａの内部の空気が攪拌される。これにより、冷房運転時においては、室内機２ａの内部にこもった臭いが室内熱交換器２０に結露した水分に吸着される。従って、室内へと漏れる臭いを低減することができる。また、暖房時においては、室内熱交換器２０の温度が上昇するまで正面パネル２４ａを閉じておくことにより、運転初期のドラフト感を低減することができる。
【００３９】
（５）
さらに、吹出し口２６を開く際に第１パネル２４１がケーシング本体２３に近接しているため、吹出し口２６から吹出された空気が第１パネル２４１とケーシング本体２３との間の隙間から漏れて第１吸込み口２７から再び吸込まれるショートサーキットが生じることを抑えることができる。
【００４０】
＜第２実施形態＞
図４に示すように、第１パネル２４１と第２パネル２４２とが移動することによって、吹出し口２６と第1吸込み口２７とが開かれてもよい。
まず、第１パネル２４１が垂直に上方へと移動すると共に、第１パネル２４１の上端がケーシング本体２３から離反する方向へと下端を中心に回転する。第１パネル２４１が垂直に上方へと移動することにより、吹出し口２６が開かれる。第１パネル２４１の上端の回転移動に伴って、第２パネル２４２の上端がケーシング本体２３から離反する方向へ下端を中心に回転移動する。第２パネル２４２の上端が回転移動することにより、第１吸込み口２７が開かれる。最終的には、上端がケーシング本体２３から離反するように中程から折れ曲がった状態の正面パネル２４ａが上方へと移動した状態となり、吹出し口２６と第１吸込み口２７とが開かれる。
【００４１】
他の構成については第１実施形態と同様である。
［特徴］
このように吹出し口２６と第1吸込み口２７とが開かれても、上記の実施形態にかかる室内機２ａと同様の効果を奏することができる。
＜他の実施形態＞
上記の実施形態にかかる室内機２ａでは、正面パネル２４ａは、第１パネル２４１と第２パネル２４２とによって構成されているが、さらに複数のパネルによって構成されてもよい。ただし、正面パネル２４ａを構成する複数のパネルの数が少ないほど正面パネル２４ａに表れる継目が少なくなるため、正面パネル２４ａを構成する複数のパネルの数は少ない方が望ましい。また、正面パネル２４ａを構成する複数のパネルは縦方向に並んで配置される方が望ましい。これにより、正面視において縦方向に延びる継目が表れず、美観が向上する。
【産業上の利用可能性】
【００４２】
本発明は、室内の美観を損なう恐れをより低減することができる効果を有し、空気調和機の室内機として有用である。
【図面の簡単な説明】
【００４３】
【図１】第１実施形態にかかる空気調和機の構成および冷媒回路の構成を表す図。
【図２】（ａ）第１実施形態にかかる室内機の運転停止時の正面図。（ｂ）第１実施形態にかかる室内機の運転停止時の側面断面図。
【図３】第１実施形態にかかる室内機の運転時の側面断面図。
【図４】第２実施形態にかかる室内機の運転時の側面断面図。
【図５】従来の空気調和機の室内機の正面図。
【符号の説明】
【００４４】
１        空気調和機
２ａ      室内機
２３      ケーシング本体（ケーシング）
２４ａ    正面パネル
２６      吹出し口
２７      第１吸込み口（吸込み口）
２４１    第１パネル
２４２    第２パネル
２４３    平坦面
２４７    接続部分
Ｗ        ケーシング本体の幅（ケーシングの幅）
【図１】
2005098686.tif 000003
【図２】
2005098686.tif 000004
【図３】
2005098686.tif 000005
【図４】
2005098686.tif 000006
【図５】
2005098686.tif 000007